(57)【要約】【課題】映像の分配とＪＰＥＧの作成を不要にして伝送負荷を軽減させる。【解決手段】動画像データ（ＭＰＥＧデータＭ）を画像クライアント５に配信する画像サーバ４は前記動画像データをクライアントに供給する一方で前記動画像データからフレーム内符号化画像（ＩピクチャＩ）を抽出する。この抽出されたフレーム内符号化画像は時刻情報が付加された後に画像データベース４３に格納される。画像データベース４３に蓄積されたフレーム内符号化画像は画像クライアント５に供給される。【選択図】図１
2009071757.tif 000002
【特許請求の範囲】
【請求項１】
動画像データをクライアントに配信する画像サーバが、前記動画像データをクライアントに供給する一方で前記動画像データからフレーム内符号化画像を抽出し、このフレーム内符号化画像を画像データベースに格納すること
を特徴とする画像配信方法。
【請求項２】
前記フレーム内符号化画像は時刻情報が付加された後に前記画像データベースに格納されることを特徴とする請求項１に記載の画像配信方法。
【請求項３】
前記画像サーバは前記画像データベースに蓄積されたフレーム内符号化画像を前記クライアントに供給することを特徴とする請求項１または２に記載の画像配信方法。
【請求項４】
動画像データをクライアントに供給する一方で前記動画像データからフレーム内符号化画像を抽出する抽出手段と、
この抽出手段によって抽出されたフレーム内符号化画像を格納する画像データベースと
を備えること
を特徴とする画像サーバ。
【請求項５】
前記フレーム内符号化画像に時刻情報を付加した後に前記画像データベースに格納することを特徴とする請求項４に記載の画像サーバ。
【請求項６】
前記画像データベースに蓄積されたフレーム内符号化画像を前記クライアントに供給することを特徴とする請求項４または５に記載の画像サーバ。
【発明の詳細な説明】
【技術分野】
【０００１】
この発明は画像データによる監視及び画像データの蓄積の技術に関する。
【背景技術】
【０００２】
画像圧縮方法にはＪＰＥＧ方式（静止画像圧縮方式）とＭＰＥＧ方式（動画像蓄積符号化方式）がある。図２に例示された画像配信システム１０は、ＪＰＥＧを生成（圧縮）及び再生（伸張）する機能とＰＭＥＧを生成（圧縮）及び再生（伸張）する機能を有し、ＭＥＰＧデータとＪＰＥＧデータの両方を常時送信している。画像配信システム１０では画像入力装置１２が撮像装置１１から受けた映像を分配してＪＰＥＧとＭＰＥＧとを生成する。そして、画像クライアント１４が画像サーバ１３を介して画像入力装置１２から導入したＪＰＥＰ及びＭＰＥＧを再生することで画像の表示（映像の再生）を行う。ＪＰＥＧデータは画像サーバ１３の画像データベース１５に格納された後に一定周期に画像クライアント１４に送信される。尚、画像配信システム１０と同類ものとしては例えば特許文献１に開示された動画像配信システムがある。
【特許文献１】特開２００３−２０９８２８号公報（段落０００９〜００１６）
【発明の開示】
【発明が解決しようとする課題】
【０００３】
画像配信システム１０は動画の表示と制止画の蓄積のために画像入力装置１２にはＭＰＥＧ生成とＪＰＥＧ生成の機能が必要である。したがって、この配信システムはＭＰＥＧとＪＰＥＧのデータが同時に伝送路を流れるので伝送の負荷が高くなる。
【課題を解決するための手段】
【０００４】
前記課題を解決するための画像配信方法は、動画像データをクライアントに配信する画像サーバが、前記動画像データをクライアントに供給する一方で前記動画像データからフレーム内符号化画像を抽出し、このフレーム内符号化画像を画像データベースに格納する。
【０００５】
前記課題を解決するための画像サーバは、動画像データをクライアントに供給する一方で前記動画像データからフレーム内符号化画像を抽出する抽出手段と、この抽出手段によって抽出されたフレーム内符号化画像を格納する画像データベースとを備える。
【０００６】
以上の画像配信方法及び画像サーバによると映像の分配とＪＰＥＧの作成が不要となる。
【０００７】
前記画像配信方法及び画像サーバにおいて、前記フレーム内符号化画像は時刻情報が付加された後に前記画像データベースに格納するようにするとよい。格納された画像を再生する際に撮像日時による画像の検索が可能となると共に再生時に撮像日時を確認できる。
【０００８】
さらに、前記前記配信方法及び画像サーバにおいて、前記画像データベースに蓄積されたフレーム内符号化画像を前記クライアントに供給するようにしてもよい。ＪＰＥＧデータではなくフレーム内符号化画像をクライアントに送信するので伝送負荷が軽減する。
【発明の効果】
【０００９】
以上の発明によれば映像の分配とＪＰＥＧの作成が不要となりコンパクトな構成となる。また、ＪＰＥＧデータを送信しないので伝送負荷が軽減できる。
【発明を実施するための最良の形態】
【００１０】
図１は発明の実施形態に係る動画配信システムの概略構成図である。
【００１１】
動画像データであるＭＰＥＧデータはＩピクチャ（フレーム内符号化画像）Ｉと差分データと呼ばれるＰピクチャ（前方向予測符号化画像）Ｐ及びＢピクチャ（両方向予測符号化画像）Ｂで構成され、例えば次のような順番で送信される。
【００１２】
例）Ｉ１Ｐ１Ｂ１Ｂ２Ｂ３Ｐ２Ｂ１Ｂ２・・・Ｉ２Ｐ１・・・
動画配信システム１において画像サーバ４は画像入力装置３から供されたＭＰＥＧデータＭからＩピクチャＩを抽出する手段としてＩピクチャ抽出部４１を有する。画像サーバ４は少なくともバッファメモリ４２及び画像データベース４３を有する。一方、画像入力装置３は撮像装置２から供された情報からＭＰＥＧデータＭを作成する機能を有する。また、画像クライアント５は画像サーバ４から供されたＭＰＥＧデータＭを再生表示する機能する機能と共にＩピクチャＩを単独で伸張し再生表示する機能を有する。
【００１３】
図１を参照しながら動画配信システム１の動作例について説明する。
【００１４】
画像入力装置３は撮像装置２から供給された情報からＭＰＥＧデータＭを作成する。この作成されたＭＰＥＧデータＭは画像サーバ４に送信される。画像サーバ４ではＩピクチャ抽出部４１がＭＰＥＧデータＭを画像クライアント５に送信すると同時にＭＰＥＧデータＭからＩピクチャＩを抽出する。抽出されたＩピクチャＩはバッファメモリ４２に格納される。バッファメモリ４２では格納されたＩピクチャＩに時刻情報が付加される。時刻情報が付加されたＩピクチャＩは一定周期に画像データベース４３に蓄積される。時刻情報は画像データの検索のためだけに使用され、表示はされない。画像クライアント５は画像サーバ４から送信されたＩピクチャＩを単独で伸張し表示する。また、画像クライアント５は画像サーバ４の画像データベース４３から供給されたＩピクチャＩを受信して静止画として表示する。
【００１５】
以上のように動画配信システム１によれば映像の分配とＪＰＥＧ作成の部分が不要となるので画像入力装置３はコンパクトな構成となる。また、ＪＰＥＧデータを送信しないので画像クライアント５に対する伝送負荷が軽減する。さらに、ＩピクチャＩには時刻情報が付加されているので、Ｉピクチャを再生する際に撮像日時によるＩピクチャＩの検索が可能となると共に再生時に撮像日時を確認できる。
【図面の簡単な説明】
【００１６】
【図１】発明の実施形態に係る動画配信システムの概略構成図。
【図２】従来技術に係る動画配信システムの概略構成図。
【符号の説明】
【００１７】
１…動画配信システム
２…撮像装置
３…画像入力装置
４…画像サーバ
５…画像クライアント
４１…Ｉピクチャ抽出部、４２…バッファメモリ、４３…画像データベース
Ｍ…ＭＰＥＧデータ
Ｉ…Ｉピクチャ（フレーム内符号化画像）
【図１】
2009071757.tif 000003
【図２】
2009071757.tif 000004